(57)【要約】【課題】固体撮像素子が２チャネル構成の水平CCDレジスタを備えており、撮像装置の性能に制限がある場合においても高速で画像信号を出力する。【解決手段】２ライン分の情報電荷を水平転送部において水平ｎ画素混合して水平転送する。このとき、２ライン目の情報電荷を水平ｎ画素混合する際に１ライン目の水平ｎ画素混合済みの情報電荷が混合されないよう、１ライン目の奇数列および偶数列それぞれについて水平ｎ画素混合済みの混合電荷と、２ライン目の奇数列または偶数列のいずれか一方を垂直転送して水平ｎ画素混合した混合電荷とを、第２水平CCDレジスタの所定の水平転送電極群と、この水平転送電極群と同一の水平駆動パルスにより駆動する第１水平CCDレジスタの蓄積対象電極群に蓄積する。そして２ライン目の残りの列の情報電荷を水平ｎ画素混合する。【選択図】図４０
2009044385.tif 000002
【特許請求の範囲】
【請求項１】
垂直転送部と２チャネル構成の水平転送部とを含む固体撮像素子の駆動方法であって、
前記水平転送部は、水平転送電極を複数備えることにより情報電荷の水平転送を行う第１および第２水平CCDレジスタを含み、前記第１および第２水平CCDレジスタは、前記第１および第２水平CCDレジスタに共通に印加される水平駆動パルスにより駆動され、さらに、前記第１水平CCDレジスタと前記第２水平CCDレジスタとの間で情報電荷の転送が可能であり、
前記垂直転送部は、前記第１水平CCDレジスタの水平転送電極のそれぞれと対応して配置される複数の垂直CCDレジスタからなり、１ラインの情報電荷を前記垂直転送部の奇数列と偶数列とにわけて前記第１および第２水平CCDレジスタのうち前記第１水平CCDレジスタのみへと転送するものであり、
前記駆動方法は、
前記垂直転送部の２ライン分の情報電荷について、ｎを２以上の自然数としたとき、各ラインにおいては奇数列と偶数列とにわけて前記水平転送部において情報電荷を水平ｎ画素混合し、１ライン目の情報電荷を奇数列と偶数列とにわけてそれぞれ水平ｎ画素混合した混合電荷、および、２ライン目の情報電荷を奇数列と偶数列とにわけてそれぞれ水平ｎ画素混合した混合電荷を前記水平転送部において蓄積する水平ｎ画素混合ステップと、
前記水平ｎ画素混合ステップにおいて水平ｎ画素混合がなされて前記水平転送部に蓄積されている２ライン分の情報電荷を前記第１および第２水平CCDレジスタにより水平転送する混合電荷転送ステップとを含む
ことを特徴とする駆動方法。
【請求項２】
前記第１および第２水平CCDレジスタは、２ｎ相駆動により駆動され、
前記水平ｎ画素混合ステップは、
１ライン目の情報電荷を、奇数列と偶数列とにわけて前記水平転送部へと転送して前記水平転送部において水平ｎ画素混合し、２ライン目の奇数列または偶数列の情報電荷のうちいずれか一方を前記水平転送部へと転送して前記水平転送部において水平ｎ画素混合し、１ライン目の情報電荷のうち奇数列のものを水平ｎ画素混合した第１混合電荷群と、偶数列のものを水平ｎ画素混合した第２混合電荷群と、２ライン目の情報電荷のうち前記水平転送部への転送および水平ｎ画素混合を行った情報電荷である第３混合電荷群とを、各混合電荷群においては混合電荷群に含まれる混合電荷のそれぞれが（２ｎ−１）個の水平転送電極を挟んで等間隔になるように、かつ、前記第１、第２、第３混合電荷群のうち２つを第２水平CCDレジスタの第１水平転送電極群および第２水平転送電極群に蓄積して残りの１つの混合電荷群を第１水平CCDレジスタの水平転送電極のうち蓄積対象電極群に蓄積するよう水平転送部および垂直転送部を駆動させる初期配置ステップを含み、
前記蓄積対象電極群とは、
第２水平CCDレジスタの前記第１または第２水平転送電極群のいずれかと同一の位相の水平駆動パルスにより駆動し、２ライン目の垂直未転送の列の垂直CCDレジスタと対応していない前記第１水平CCDレジスタの水平転送電極であり、
前記水平ｎ画素混合ステップは、
２ライン目の、前記初期配置ステップにおいて垂直未転送の列の情報電荷を前記第１水平CCDレジスタの水平転送電極にそれぞれ転送するよう垂直転送部および水平転送部を駆動させる垂直転送ステップと、
前記垂直転送ステップにおいて転送された各情報電荷を、前記蓄積対象電極群のそれぞれの水平転送電極に挟まれた（２ｎ−１）個の水平転送電極を用いて水平ｎ画素混合するよう水平転送部を駆動させる水平混合ステップとを含む
ことを特徴とする請求項１記載の駆動方法。
【請求項３】
前記初期配置ステップは、
１ライン目の奇数列および偶数列の情報電荷を前記垂直転送部から順次第１水平CCDレジスタへと垂直転送するとともに奇数列と偶数列それぞれの情報電荷について水平ｎ画素混合を行って前記第１混合電荷群と前記第２混合電荷群とし、前記第１混合電荷群と前記第２混合電荷群とを第２水平CCDレジスタの水平転送電極に蓄積させる第１ライン混合サブステップと、
前記垂直転送部に蓄積されている２ライン目の情報電荷のうち奇数列または偶数列のいずれかの列を前記第１水平CCDレジスタへ転送する第２ライン垂直転送サブステップと、
所定の水平転送電極に挟まれた（２ｎー１）個の水平転送電極を用いて、前記第２ライン垂直転送サブステップにおいて転送された情報電荷を水平ｎ画素混合する第２ライン混合サブステップとを含み、
前記所定の水平転送電極とは、前記第１混合電荷群または前記第２混合電荷群のうちいずれか一方が蓄積されている第２水平CCDレジスタの水平転送電極と同位相の水平駆動パルスにより駆動する第１水平CCDレジスタの水平転送電極であって、前記第１転送ステップにおいて未転送の列の垂直CCDレジスタに対応している
ことを特徴とする請求項２記載の駆動方法。
【請求項４】
前記駆動方法は、さらに、
前記水平混合ステップにおいて水平ｎ画素混合を行った後、第１および第２水平CCDレジスタそれぞれにおいて水平転送電極に蓄積されている混合電荷が各水平CCDレジスタにおいてそれぞれ（ｎ−１）個の水平転送電極を挟んで等間隔に配置されるように水平転送部を駆動させるｎ相駆動準備ステップと、
前記ｎ相駆動準備ステップにより（ｎ−１）個の水平転送電極を挟んで各水平CCDレジスタにおいて各混合電荷が等間隔に配置されると、水平転送部をｎ相駆動により駆動させることにより各混合電荷の水平転送を行うｎ相駆動ステップとを含む
ことを特徴とする請求項２または３に記載の駆動方法。
【請求項５】
前記駆動方法は、さらに、
前記水平転送部において水平ｎ画素混合を行わないで情報電荷を水平転送する色順次出力ステップを含み、
前記色順次出力ステップまたは前記水平ｎ画素混合ステップのいずれかにより情報電荷の水平転送を行い、前記色順次ステップと前記水平ｎ画素混合ステップとで前記水平転送部の駆動相数を切り替える
ことを特徴とする請求項１から４のうちいずれか１項に記載の駆動方法。
【請求項６】
前記色順次出力ステップは、
１ラインの情報電荷について、奇数列の情報電荷を前記第１および第２水平CCDレジスタのうちいずれか一方に転送し、他方の水平CCDレジスタに偶数列の情報電荷を転送して、１ライン分の情報電荷を前記第１および第２水平CCDレジスタにより水平転送する
ことを特徴とする請求項５記載の駆動方法。
【請求項７】
前記固体撮像素子のカラーフィルタはベイヤー配列である
ことを特徴とする請求項１から６のうちいずれか１項に記載の駆動方法。
【請求項８】
請求項１から７のうちいずれか１項に記載の駆動方法により固体撮像素子を駆動させる制御部を含む撮像装置。
【請求項９】
垂直転送部と２チャネル構成の水平転送部とを含む固体撮像素子を駆動させるためのクロックパルスの印加を制御する集積回路であって、
前記水平転送部は、水平転送電極を複数備えることにより情報電荷の水平転送を行う第１および第２水平CCDレジスタを含み、前記第１および第２水平CCDレジスタは、前記第１および第２水平CCDレジスタに共通に印加される水平駆動パルスにより駆動され、さらに、前記第１水平CCDレジスタと前記第２水平CCDレジスタとの間で情報電荷の転送が可能であり、
前記垂直転送部は、前記第１水平CCDレジスタの水平転送電極のそれぞれと対応して配置される複数の垂直CCDレジスタからなり、１ラインの情報電荷を前記垂直転送部の奇数列と偶数列とにわけて前記第１および第２水平CCDレジスタのうち前記第１水平CCDレジスタのみへと転送するものであり、
前記集積回路は、
前記垂直転送部の２ライン分の情報電荷について、ｎを２以上の自然数としたとき、各ラインにおいては奇数列と偶数列とにわけて前記水平転送部において情報電荷を水平ｎ画素混合し、１ライン目の情報電荷を奇数列と偶数列とにわけてそれぞれ水平ｎ画素混合した混合電荷、および、２ライン目の情報電荷を奇数列と偶数列とにわけてそれぞれ水平ｎ画素混合した混合電荷を前記水平転送部において蓄積する水平ｎ画素混合部と、
前記水平ｎ画素混合部により水平ｎ画素混合がなされた２ライン分の情報電荷を前記第１および第２水平CCDレジスタにより水平転送する混合電荷転送部とを含む
ことを特徴とする集積回路。
【請求項１０】
前記第１および第２水平CCDレジスタは、２ｎ相駆動により駆動され、
前記水平ｎ画素混合部は、
１ライン目の情報電荷を、奇数列と偶数列とにわけて前記水平転送部へと転送して前記水平転送部において水平ｎ画素混合し、２ライン目の奇数列または偶数列の情報電荷のうちいずれか一方を前記水平転送部へと転送して前記水平転送部において水平ｎ画素混合し、１ライン目の情報電荷のうち奇数列のものを水平ｎ画素混合した第１混合電荷群と、偶数列のものを水平ｎ画素混合した第２混合電荷群と、２ライン目の情報電荷のうち前記水平転送部への転送および水平ｎ画素混合を行った情報電荷である第３混合電荷群とを、各混合電荷群においては混合電荷群に含まれる混合電荷のそれぞれが（２ｎ−１）個の水平転送電極を挟んで等間隔になるように、かつ、前記第１、第２、第３混合電荷群のうち２つを第２水平CCDレジスタの第１水平転送電極群および第２水平転送電極群に蓄積して残りの１つの混合電荷群を第１水平CCDレジスタの水平転送電極のうち蓄積対象電極群に蓄積するよう水平転送部および垂直転送部を駆動させる初期配置部を含み、
前記蓄積対象電極群とは、
第２水平CCDレジスタの前記第１または第２水平転送電極群のいずれかと同一の位相の水平駆動パルスにより駆動し、２ライン目の垂直未転送の列の垂直CCDレジスタと対応していない前記第１水平CCDレジスタの水平転送電極であり、
前記水平ｎ画素混合部は、
２ライン目の、垂直未転送の列の情報電荷を前記第１水平CCDレジスタの水平転送電極にそれぞれ転送するよう垂直転送部および水平転送部を駆動させる転送部と、
前記転送部が前記転送した各情報電荷を、前記蓄積対象電極群のそれぞれの水平転送電極に挟まれた（２ｎ−１）個の水平転送電極を用いて水平ｎ画素混合するよう水平転送部を駆動させる水平混合部とを含む
ことを特徴とする請求項９記載の集積回路。
【発明の詳細な説明】
【技術分野】
【０００１】
本発明は、２チャネル構成の水平CCDレジスタを有する固体撮像素子の駆動方法に関する。
【背景技術】
【０００２】
高画質の撮像画像を高速で出力するために、CCD（Charge Coupled Device）固体撮像素子の水平CCDレジスタを２チャネル構成とした撮像装置が用いられている。２チャネル構成の水平CCDレジスタは、具体的には、例えば下記の特許文献１および２に示されるように、垂直CCDレジスタから情報電荷を受け付ける第１の水平CCDレジスタと、第１の水平CCDレジスタから中間転送チャネルを介して情報電荷が転送される第２の水平CCDレジスタとからなる。２チャネル構成の水平CCDレジスタにおいては、小型化を図りつつ駆動方法の複雑化を避けるために、各水平CCDレジスタに共通に水平駆動パルスが印加されるものがある。
【０００３】
このような撮像装置は、例えば高画質の映像制作を求められる業務用として使用されており、受光素子に蓄積された情報電荷を、順次、垂直CCDレジスタから２チャネル構成の水平CCDレジスタへ転送するとともに水平CCDレジスタにより水平転送し、画像信号として出力する。
【特許文献１】特開平６−９７４１２号公報
【特許文献２】特開平８−４６１７９号公報
【発明の開示】
【発明が解決しようとする課題】
【０００４】
ところで、近年では、民生用の撮像装置、例えば、いわゆるコンパクトデジカメやカムコーダなどにおいても高画素化が進んできている。これらの撮像装置は、一般的に、小型および低消費電力で動作することが求められ、さらに低コスト化の要請が強い。そのため、高性能の演算装置を搭載できなかったり、消費電力の増加および回路の大型化を伴うために固体撮像素子を駆動させるためのクロックパルスの周波数を高くできなかったりなどの実装上の制約があることが多い。
【０００５】
したがって、このような撮像装置において、動画撮影時のように、固体撮像素子の情報電荷を短期間で次々と高速転送しようとすると、水平CCDレジスタを２チャネル構成としても、クロックパルスの周波数が高くないために固体撮像素子において情報電荷の転送が間に合わないおそれがある。また、情報電荷が転送されるとしても、低性能であるために演算装置の処理能力が追いつかない可能性もある。
【０００６】
本発明は、上記問題を解決することのできる固体撮像素子の駆動方法、撮像装置、集積回路を提供することを目的とする。
【課題を解決するための手段】
【０００７】
上記課題を解決するため、本発明は、垂直転送部と２チャネル構成の水平転送部とを含む固体撮像素子の駆動方法であって、前記水平転送部は、水平転送電極を複数備えることにより情報電荷の水平転送を行う第１および第２水平CCDレジスタを含み、前記第１および第２水平CCDレジスタは、前記第１および第２水平CCDレジスタに共通に印加される水平駆動パルスにより駆動され、さらに、前記第１水平CCDレジスタと前記第２水平CCDレジスタとの間で情報電荷の転送が可能であり、前記垂直転送部は、前記第１水平CCDレジスタの水平転送電極のそれぞれと対応して配置される複数の垂直CCDレジスタからなり、１ラインの情報電荷を前記垂直転送部の奇数列と偶数列とにわけて前記第１および第２水平CCDレジスタのうち前記第１水平CCDレジスタのみへと転送するものであり、前記駆動方法は、前記垂直転送部の２ライン分の情報電荷について、ｎを２以上の自然数としたとき、各ラインにおいては奇数列と偶数列とにわけて前記水平転送部において情報電荷を水平ｎ画素混合し、１ライン目の情報電荷を奇数列と偶数列とにわけてそれぞれ水平ｎ画素混合した混合電荷、および、２ライン目の情報電荷を奇数列と偶数列とにわけてそれぞれ水平ｎ画素混合した混合電荷を前記水平転送部において蓄積する水平ｎ画素混合ステップと、前記水平ｎ画素混合ステップにおいて水平ｎ画素混合がなされて前記水平転送部に蓄積されている２ライン分の情報電荷を前記第１および第２水平CCDレジスタにより水平転送する混合電荷転送ステップとを含むことを特徴とする。
【発明の効果】
【０００８】
上記駆動方法によると、２ライン分の情報電荷を水平ｎ画素混合して出力するので、各水平CCDレジスタにおける情報電荷の転送段数を削減することができる。したがって、動画撮影時等において情報電荷の転送が間に合わなくなることを防ぐことができる。また、水平ｎ画素混合することにより、出力する情報電荷の数が少なくなる、つまり演算装置による処理の対象となるデータ量が小さくなるので、演算装置の処理能力が比較的低い場合であっても処理が追いつかなくなる事態を防ぐことができる。
【０００９】
ところで、１ラインの情報電荷について、垂直CCDレジスタの奇数列および偶数列から水平CCDレジスタに転送された情報電荷を、それぞれ別々に水平ｎ画素混合を行うことは極めて容易である。例えば、特開２００６−５０１２８号公報に、１ラインの情報電荷を１の水平CCDレジスタにおいて水平画素混合する技術が開示されている。
しかし、２チャネル構成の水平CCDレジスタの各水平CCDレジスタは、上述のように共通に印加される水平駆動パルスにより駆動するため、例えば、１ライン目の情報電荷の奇数列および偶数列の情報電荷をそれぞれ水平ｎ画素混合した状態において２ライン目の情報電荷を水平ｎ画素混合しようとすると、既に水平ｎ画素混合済みの１ライン目の情報電荷も水平転送されうることとなる。その結果、１ライン目の、既に水平ｎ画素混合された情報電荷が、他の情報電荷と混合される可能性がある。
【００１０】
そこで、本発明において、前記第１および第２水平CCDレジスタは、２ｎ相駆動により駆動され、前記水平ｎ画素混合ステップは、１ライン目の情報電荷を、奇数列と偶数列とにわけて前記水平転送部へと転送して前記水平転送部において水平ｎ画素混合し、２ライン目の奇数列または偶数列の情報電荷のうちいずれか一方を前記水平転送部へと転送して前記水平転送部において水平ｎ画素混合し、１ライン目の情報電荷のうち奇数列のものを水平ｎ画素混合した第１混合電荷群と、偶数列のものを水平ｎ画素混合した第２混合電荷群と、２ライン目の情報電荷のうち前記水平転送部への転送および水平ｎ画素混合を行った情報電荷である第３混合電荷群とを、各混合電荷群においては混合電荷群に含まれる混合電荷のそれぞれが（２ｎ−１）個の水平転送電極を挟んで等間隔になるように、かつ、前記第１、第２、第３混合電荷群のうち２つを第２水平CCDレジスタの第１水平転送電極群および第２水平転送電極群に蓄積して残りの１つの混合電荷群を第１水平CCDレジスタの水平転送電極のうち蓄積対象電極群に蓄積するよう水平転送部および垂直転送部を駆動させる初期配置ステップを含み、前記蓄積対象電極群とは、第２水平CCDレジスタの前記第１または第２水平転送電極群のいずれかと同一の位相の水平駆動パルスにより駆動し、２ライン目の垂直未転送の列の垂直CCDレジスタと対応していない前記第１水平CCDレジスタの水平転送電極であり、前記水平ｎ画素混合ステップは、２ライン目の、前記初期配置ステップにおいて垂直未転送の列の情報電荷を前記第１水平CCDレジスタの水平転送電極にそれぞれ転送するよう垂直転送部および水平転送部を駆動させる垂直転送ステップと、前記垂直転送ステップにおいて転送された各情報電荷を、前記蓄積対象電極群のそれぞれの水平転送電極に挟まれた（２ｎ−１）個の水平転送電極を用いて水平ｎ画素混合するよう水平転送部を駆動させる水平混合ステップとを含むこととするとよい。
【００１１】
上記駆動方法によると、第１混合電荷群と第２混合電荷群と第３混合電荷群とのうち２つが第２水平CCDレジスタに蓄積され、残りの１つは第１水平CCDレジスタの蓄積対象電極群に蓄積される。
ここで、説明の便宜上、第１混合電荷群と第２混合電荷群とが第２水平CCDレジスタに蓄積され、第１混合電荷群は、第１水平転送電極群に蓄積され、第３混合電荷群は、第１水平転送電極群と同一の位相の水平駆動パルスにより駆動する第１水平CCDレジスタの水平転送電極に蓄積されているとする。
【００１２】
各混合電荷群においては、混合電荷のそれぞれは（２ｎ−１）個の水平転送電極を挟んで等間隔に蓄積される。したがって、混合電荷のそれぞれに挟まれる（２ｎ−１）個の水平転送電極を用いて水平ｎ画素混合が行われたとしても、混合電荷は他の情報電荷と混合されない。
ここで、第１水平CCDレジスタに着目すると、前記垂直転送ステップにより転送される情報電荷は、第１水平CCDレジスタにおいて、蓄積対象電極群のそれぞれの水平転送電極に挟まれた（２ｎ−１）個の水平転送電極を用いて水平ｎ画素混合が行われる。したがって、水平ｎ画素混合が行われる情報電荷が蓄積対象電極群のそれぞれの水平転送電極に転送されることはないので、第１水平CCDレジスタにおいて、第３混合電荷群の混合電荷が、水平ｎ画素混合が行われる情報電荷と混合されることはない。
【００１３】
そして、第２水平CCDレジスタに着目すると、第１水平転送電極群と、第３混合電荷群が蓄積されている蓄積対象電極群とは同一の水平駆動パルスにより駆動する。したがって、第２水平CCDレジスタにおいては、第１水平転送電極群の各水平転送電極に挟まれた（２ｎ−１）個の水平転送電極の情報電荷が水平転送されることとなり、これら情報電荷（つまり第２混合電荷群の各混合電荷）が第１水平転送電極群の各水平転送電極に転送されることはない。つまり、第２混合電荷群の各混合電荷が第１混合電荷群の各混合電荷と混合されることはない。
【００１４】
したがって、上記駆動方法によると、２ライン分の情報電荷を、各混合電荷がさらに他の情報電荷と混合されることなく、それぞれ奇数列または偶数列ごとに水平ｎ画素混合を行って転送することができる。
なお、上記駆動方法は、具体的には、前記初期配置ステップは、１ライン目の奇数列および偶数列の情報電荷を前記垂直転送部から順次第１水平CCDレジスタへと垂直転送するとともに奇数列と偶数列それぞれの情報電荷について水平ｎ画素混合を行って前記第１混合電荷群と前記第２混合電荷群とし、前記第１混合電荷群と前記第２混合電荷群とを第２水平CCDレジスタの水平転送電極に蓄積させる第１ライン混合サブステップと、前記垂直転送部に蓄積されている２ライン目の情報電荷のうち奇数列または偶数列のいずれかの列を前記第１水平CCDレジスタへ転送する第２ライン垂直転送サブステップと、所定の水平転送電極に挟まれた（２ｎー１）個の水平転送電極を用いて、前記第２ライン垂直転送サブステップにおいて転送された情報電荷を水平ｎ画素混合する第２ライン混合サブステップとを含み、前記所定の水平転送電極とは、前記第１混合電荷群または前記第２混合電荷群のうちいずれか一方が蓄積されている第２水平CCDレジスタの水平転送電極と同位相の水平駆動パルスにより駆動する第１水平CCDレジスタの水平転送電極であって、前記第１転送ステップにおいて未転送の列の垂直CCDレジスタに対応していることとするとよい。
【００１５】
これにより、各水平CCDレジスタと各ラインとが対応していることとなるので、２チャネル分出力される画像信号がそれぞれ１ラインに対応したものとなり、画像信号を用いた処理が複雑になるのを避けることができる。
ここで、上記駆動方法は、さらに、前記水平混合ステップにおいて水平ｎ画素混合を行った後、第１および第２水平CCDレジスタそれぞれにおいて水平転送電極に蓄積されている混合電荷が各水平CCDレジスタにおいてそれぞれ（ｎ−１）個の水平転送電極を挟んで等間隔に配置されるように水平転送部を駆動させるｎ相駆動準備ステップと、前記ｎ相駆動準備ステップにより（ｎ−１）個の水平転送電極を挟んで各水平CCDレジスタにおいて各混合電荷が等間隔に配置されると、水平転送部をｎ相駆動により駆動させることにより各混合電荷の水平転送を行うｎ相駆動ステップとを含むこととするとよい。
【００１６】
これにより、２ライン分の情報電荷を水平ｎ画素混合した後は、ｎ相駆動により各混合電荷を水平転送することができるので、情報電荷の転送段数を削減することができる。
なお、例えば静止画撮影時などの場合は、必ずしも情報電荷を高速で転送する必要はないので、画素混合を行わなくともよい。そこで、前記駆動方法は、さらに、前記水平転送部において水平ｎ画素混合を行わないで情報電荷を水平転送する色順次出力ステップを含み、前記色順次出力ステップまたは前記水平ｎ画素混合ステップのいずれかにより情報電荷の水平転送を行い、前記色順次ステップと前記水平ｎ画素混合ステップとで前記水平転送部の駆動相数を切り替えるとしてもよい。この場合において、前記色順次出力ステップは、１ラインの情報電荷について、奇数列の情報電荷を前記第１および第２水平CCDレジスタのうちいずれか一方に転送し、他方の水平CCDレジスタに偶数列の情報電荷を転送して、１ライン分の情報電荷を前記第１および第２水平CCDレジスタにより水平転送することとしてもよい。
【００１７】
これにより、高速で情報電荷を転送する必要がない場合、例えば静止画撮影時と、高速での転送等が必要となる場合とで水平CCDレジスタの駆動相数を切り替えて駆動させることができるので、画質を優先するか高速処理を優先するかで柔軟に処理を行うことができる。
また、本発明において、前記固体撮像素子のカラーフィルタはベイヤー配列であるとしてもよい。
【００１８】
また、本発明は、上記駆動方法により固体撮像素子を駆動させる制御部を含む撮像装置でもある。
また、本発明は、垂直転送部と２チャネル構成の水平転送部とを含む固体撮像素子を駆動させるためのクロックパルスの印加を制御する集積回路であって、前記水平転送部は、水平転送電極を複数備えることにより情報電荷の水平転送を行う第１および第２水平CCDレジスタを含み、前記第１および第２水平CCDレジスタは、前記第１および第２水平CCDレジスタに共通に印加される水平駆動パルスにより駆動され、さらに、前記第１水平CCDレジスタと前記第２水平CCDレジスタとの間で情報電荷の転送が可能であり、前記垂直転送部は、前記第１水平CCDレジスタの水平転送電極のそれぞれと対応して配置される複数の垂直CCDレジスタからなり、１ラインの情報電荷を前記垂直転送部の奇数列と偶数列とにわけて前記第１および第２水平CCDレジスタのうち前記第１水平CCDレジスタのみへと転送するものであり、前記集積回路は、前記垂直転送部の２ライン分の情報電荷について、ｎを２以上の自然数としたとき、各ラインにおいては奇数列と偶数列とにわけて前記水平転送部において情報電荷を水平ｎ画素混合し、１ライン目の情報電荷を奇数列と偶数列とにわけてそれぞれ水平ｎ画素混合した混合電荷、および、２ライン目の情報電荷を奇数列と偶数列とにわけてそれぞれ水平ｎ画素混合した混合電荷を前記水平転送部において蓄積する水平ｎ画素混合部と、前記水平ｎ画素混合部により水平ｎ画素混合がなされた２ライン分の情報電荷を前記第１および第２水平CCDレジスタにより水平転送する混合電荷転送部とを含む集積回路でもある。
【００１９】
上記集積回路において、具体的には、前記第１および第２水平CCDレジスタは、２ｎ相駆動により駆動され、前記水平ｎ画素混合部は、１ライン目の情報電荷を、奇数列と偶数列とにわけて前記水平転送部へと転送して前記水平転送部において水平ｎ画素混合し、２ライン目の奇数列または偶数列の情報電荷のうちいずれか一方を前記水平転送部へと転送して前記水平転送部において水平ｎ画素混合し、１ライン目の情報電荷のうち奇数列のものを水平ｎ画素混合した第１混合電荷群と、偶数列のものを水平ｎ画素混合した第２混合電荷群と、２ライン目の情報電荷のうち前記水平転送部への転送および水平ｎ画素混合を行った情報電荷である第３混合電荷群とを、各混合電荷群においては混合電荷群に含まれる混合電荷のそれぞれが（２ｎ−１）個の水平転送電極を挟んで等間隔になるように、かつ、前記第１、第２、第３混合電荷群のうち２つを第２水平CCDレジスタの第１水平転送電極群および第２水平転送電極群に蓄積して残りの１つの混合電荷群を第１水平CCDレジスタの水平転送電極のうち蓄積対象電極群に蓄積するよう水平転送部および垂直転送部を駆動させる初期配置部を含み、前記蓄積対象電極群とは、第２水平CCDレジスタの前記第１または第２水平転送電極群のいずれかと同一の位相の水平駆動パルスにより駆動し、２ライン目の垂直未転送の列の垂直CCDレジスタと対応していない前記第１水平CCDレジスタの水平転送電極であり、前記水平ｎ画素混合部は、２ライン目の、垂直未転送の列の情報電荷を前記第１水平CCDレジスタの水平転送電極にそれぞれ転送するよう垂直転送部および水平転送部を駆動させる転送部と、前記転送部が前記転送した各情報電荷を、前記蓄積対象電極群のそれぞれの水平転送電極に挟まれた（２ｎ−１）個の水平転送電極を用いて水平ｎ画素混合するよう水平転送部を駆動させる水平混合部とを含むこととするとよい。
【発明を実施するための最良の形態】
【００２０】
以下、本発明にかかる撮像装置、および、固体撮像素子の駆動方法について、実施の一形態を、図面を用いて説明する。
１  概要
まず、本実施の形態の概要を説明する。
１．１  インターライン型の固体撮像素子
図１は、撮像装置１００の構成を示す機能ブロック図である。
【００２１】
一般的に、撮像装置は、固体撮像素子を備えており、固体撮像素子を用いて撮像を行う。固体撮像素子は様々なものが実用化されており、本発明においても様々な固体撮像素子を用いることができる。以下の説明では、撮像装置１００に備わる固体撮像素子は、図１に撮像部１として示すように、インターライン型（Interline Transfer：IT）のCCD（Charge Coupled Device）固体撮像素子を想定している。撮像装置１００の固体撮像素子は、受光素子において生成された情報電荷を、垂直CCDレジスタによって垂直転送し、水平CCDレジスタによって水平転送する。
【００２２】
そして、本発明においては、特に、以下の（１．２）、（１．３）、（１．４）の構成を備える固体撮像素子において水平画素混合を行うことを特徴としている。
１．２  ２チャネル構成の水平CCDレジスタ
図２は、垂直転送部３と水平転送部４の詳細を示す図である。
図２において水平転送部４として示すように、以下の説明では、情報電荷の水平転送を行う水平CCDレジスタが、第１水平CCDレジスタ１１と第２水平CCDレジスタ１２の２チャネル構成であるとしている。
【００２３】
２チャネル構成の水平CCDレジスタのうちいずれか一方（第１水平CCDレジスタ１１）に、垂直CCDレジスタから情報電荷が転送される。もう一方の水平CCDレジスタ（第２水平CCDレジスタ１２）と、第１水平CCDレジスタ１１とは中間転送チャネル１３を介して接続されている。
情報電荷は、中間転送チャネル１３を介して、第１水平CCDレジスタ１１から第２水平CCDレジスタ１２へと転送される。
【００２４】
１．３  水平ｎ画素混合および２ｎ相駆動
また、撮像装置１００は、例えば動画撮影時など撮像装置１００が高速で画像信号を固体撮像素子から出力して処理する必要がある場合に、受光素子において蓄積された情報電荷を、水平および垂直ｎ画素混合を行って出力する。ｎは２以上の自然数である。なお、実施の形態１では、撮像装置１００は、ｎ＝３、すなわち水平および垂直３画素混合を行うものとする。
【００２５】
また、撮像装置１００は、水平転送部４の第１水平CCDレジスタ１１および第２水平CCDレジスタ１２を、２ｎ相駆動により動作させることができるものとする。例えば、水平および垂直３画素混合を行う場合、第１水平CCDレジスタ１１および第２水平CCDレジスタ１２は、６相駆動により動作することができる。
１．４  奇数列または偶数列単位で情報電荷を出力する垂直転送部
また、固体撮像素子は、垂直CCDレジスタを複数備えている。垂直転送部３は、１行分の情報電荷（１ラインの情報電荷、例えば、図２では（B）（Gb）（B）（Gb）・・の、行方向の情報電荷）を、垂直CCDレジスタの奇数列または偶数列ごとに第１水平CCDレジスタ１１へ出力する。
【００２６】
１．５  実施例について
本発明は、上述のように、情報電荷の水平画素混合を２チャネル構成の水平CCDレジスタによって行う方法、つまり固体撮像素子の駆動方法に特徴がある。そのため、以下、固体撮像素子の駆動方法を詳細に説明することとし、撮像装置１００の構成については、概略を示すこととする。
【００２７】
２  構成
以下、撮像装置１００の構成について、概略を説明する。
２．１  撮像装置１００
図１に示すように、撮像装置１００は、撮像部１と、駆動制御部２とを備える。
撮像装置１００は、撮像機能を有しており、固体撮像素子により画像信号を生成して所定の処理を行う。撮像装置１００は、例えば、カムコーダなどである。
【００２８】
撮像装置１００は、画像信号を生成して処理することにより、MPEG-2やJPEGなど、所定のフォーマットに従った動画データや静止画データ等を生成する。また、撮像装置１００は、生成した動画データや静止画データ等を、フラッシュメモリなどの記憶部（図示しない）に記録したり、液晶ディスプレイなどの表示部（図示しない）に、動画や静止画として表示したりする。
【００２９】
２．２  撮像部１
撮像部１は、マトリクス状に配置される複数の受光素子において生成された情報電荷を転送して画像信号を出力する。撮像部１は、図１に示すように垂直転送部３、水平転送部４、出力部５を備える。これらの詳細は後述する。
２．３  駆動制御部２
駆動制御部２は、クロックパルスの発振器を備え、クロックパルスを生成し、撮像部１へのクロックパルスの供給を制御することにより、撮像部１の駆動を制御する集積回路である。
【００３０】
２．４  垂直転送部３
次に、撮像部１を詳細に説明する。
図２は、垂直転送部３と水平転送部４の詳細を示す図である。図２に示すように、撮像部１は、垂直CCDレジスタ９（９Ｌ、９Ｒ）からなる垂直転送部３と、水平転送部４と、受光素子８とからなる。垂直転送部３は、受光部６と蓄積部７とに分けられる。
【００３１】
垂直転送部３は、駆動制御部２から供給される６相の垂直駆動パルスに基づいて動作することにより、受光部６において蓄積される情報電荷の垂直転送や、情報電荷の垂直画素混合を行う。
受光素子８は、マトリクス状に配置され、光電変換により情報電荷を蓄積する。例えばフォトダイオードである。受光素子８において蓄積された情報電荷は、垂直CCDレジスタ９により蓄積部７へと転送される。なお、図２では、説明の簡略化のため、受光素子８の一部（９行×７列）を示している。
【００３２】
なお、本実施形態では、各受光素子に対応づけて赤（R）、緑（Gr、Gb）、青（B）の３色からなるカラーフィルタが配置されている。図３は、受光素子それぞれに対応づけられて配置されるカラーフィルタを示す図である。カラーフィルタは、図３に示すように、ベイヤー配列とする。なお、緑（Gr、Gb）は、行方向において赤色に挟まれている場合は（Gr）、青色に挟まれている場合は（Gb）と表記される。
【００３３】
２．４．１  受光部６
受光部６では、受光素子８において蓄積された情報電荷を垂直CCDレジスタ９に読み出して垂直転送する。
図２では、複数からなる垂直CCDレジスタ９のうち、奇数列を垂直CCDレジスタ９Ｌとし、偶数列を垂直CCDレジスタ９Ｒとしている。各垂直CCDレジスタは、例えばＰウェル表面部に形成されたＮ型拡散層により形成される。各垂直CCDレジスタ同士の間にはチャネルストップが設けられている。
【００３４】
また、各垂直CCDレジスタは、ゲートV1〜V6を直列に接続して構成されており、駆動制御部２により各ゲートに印加されるｆV1〜ｆV6の６相の垂直駆動パルスにより動作する。図示するように、ゲートV1、V3、V5は、受光素子８それぞれと接続されており、受光素子８から情報電荷を読み出す。また、各垂直CCDレジスタは、互いに平行になるように配置される。
【００３５】
２．４．２  蓄積部７
情報電荷は、蓄積部７から水平転送部４の第１水平CCDレジスタ１１へと垂直転送される。
なお、蓄積部７は、垂直水平転送部１０を備えている。垂直水平転送部１０は、垂直転送の最終段に設けられており、ゲートV1S、V3L、V3R、V5L、V5Rに対してｆV1S、ｆV3L、ｆV3R、ｆV5L、ｆV5Rの垂直水平間転送パルスが印加されることにより、情報電荷の垂直転送を行う。
【００３６】
なお、図２に示すように、垂直水平転送部１０において、奇数列の垂直CCDレジスタのV3L、V5LのゲートにはｆV3L、ｆV5Lのクロックパルスがそれぞれ印加され、偶数列の垂直CCDレジスタのV3R、V5RのゲートにはｆV3R、ｆV5Rのクロックパルスが印加される。したがって、垂直転送部３から水平転送部４への情報電荷の垂直転送は、垂直CCDレジスタ９の奇数列単位、偶数列単位で行うことができる。
【００３７】
２．５  水平転送部４
水平転送部４は、垂直転送部３から垂直転送された情報電荷を水平転送して出力部５へ出力する。水平転送部４は、２チャネル構成の水平CCDレジスタ（第１水平CCDレジスタ１１、第２水平CCDレジスタ１２）を備えている。図２では、水平CCDレジスタの一部を示している。
【００３８】
水平CCDレジスタそれぞれは、ストレージ電極とバリア電極との対からなる水平転送電極（電極対）を複数備えている。ストレージ電極とバリア電極は、ポリシリコン膜により形成される。ストレージ電極とバリア電極とがオーバーラップする部分には絶縁膜が形成されている。
図２に示すように、水平転送電極（ストレージ電極とバリア電極との対）H1〜H6は、各垂直CCDレジスタに対応して並列に配置される。第１水平CCDレジスタ１１および第２水平CCDレジスタ１２の各水平転送電極に６相の水平駆動パルスｆH1〜ｆH6を供給するために、所定数（例えば、水平CCDレジスタ１つにつき６つ）のバスラインが、水平転送電極の上部の領域に形成されている。各バスラインは、アルミニウム膜により形成されている。各バスラインと各水平転送電極との間には絶縁膜が形成されている。各水平転送電極とバスラインのそれぞれとは、複数のコンタクトにより接続されている。コンタクトを介して、水平転送電極H1にはｆH1、H2にはｆH2、H3にはｆH3、H4にはｆH4、H5にはｆH5、H6にはｆH6の水平駆動パルスが駆動制御部２により印加される。
【００３９】
なお、水平転送電極へ印加される水平駆動パルスは、水平転送電極のストレージ電極およびバリア電極にそれぞれ印加される。例えば、水平駆動パルスｆH1は、水平転送電極H1のストレージ電極およびバリア電極にそれぞれ印加される。駆動制御部２は、各バスラインへのクロックパルスの供給を制御することにより、情報電荷の水平転送を制御する。
水平転送電極に印加される水平駆動パルスは、水平転送電極のストレージ電極とバリア電極にそれぞれ印加されるので、各水平転送電極の情報電荷は、出力部５に向かう方向には転送されるが、バリア電極により逆方向には転送されない。図２の例で言うと、H6からH5、H5からH4、H4からH3、・・の順に、第１水平CCDレジスタ１１および第２水平CCDレジスタ１２において情報電荷が水平転送される。つまり、H6からH5へは情報電荷が転送されるのに対し、H6に隣接するH1へと情報電荷がH6から転送されることはない。なお、本実施形態では、水平駆動パルスｆH1〜ｆH6は、第１水平CCDレジスタ１１および第２水平CCDレジスタ１２に共通に印加される。
【００４０】
また、第１水平CCDレジスタ１１の各水平転送電極と第２水平CCDレジスタ１２の各水平転送電極とは一対一に対応する。第１水平CCDレジスタ１１の各水平転送電極の情報電荷は、対応する第２水平CCDレジスタ１２の各水平転送電極に、中間転送チャネル１３を介して転送される。図２に示すように、第１水平CCDレジスタ１１のH1の水平転送電極と、第２水平CCDレジスタ１２のH6の水平転送電極とが対応している。同様に、第１水平CCDレジスタ１１のH2と第２水平CCDレジスタ１２のH1が対応し、H3とH2が対応し、H4とH3が対応し、H5とH4が対応し、H6とH5が対応している。
【００４１】
なお、出力部５に最も近い水平転送電極に対応する垂直CCDレジスタを奇数列の垂直CCDレジスタとする。
２．５．１  第１水平CCDレジスタ１１
第１水平CCDレジスタ１１は、垂直転送部３の垂直CCDレジスタ各々の出力側に配置され、垂直CCDレジスタ各々と接続される。第１水平CCDレジスタ１１は、駆動制御部２から供給される水平駆動パルスｆH1〜ｆH6に基づいて駆動することにより、情報電荷の水平画素混合と、水平転送とを行う。
【００４２】
なお、第１水平CCDレジスタ１１のH1、H3、H5のゲートが、垂直CCDレジスタの奇数列と対応し、H2、H4、H6のゲートが、垂直CCDレジスタの偶数列と対応する。
２．５．２  第２水平CCDレジスタ１２
第２水平CCDレジスタ１２は、中間転送チャネル１３と接続している。第２水平CCDレジスタ１２は、第１水平CCDレジスタ１１と同様に、駆動制御部２から供給される水平駆動パルスｆH1〜ｆH6に基づいて動作することにより、情報電荷の水平画素混合と、水平転送とを行う。
【００４３】
２．５．３  中間転送チャネル１３
中間転送チャネル１３は、ポリシリコン膜により形成され、第１水平CCDレジスタ１１および第２水平CCDレジスタ１２と接続される。駆動制御部２から第１水平CCDレジスタ１１および第２水平CCDレジスタ１２に水平駆動パルスが印加され、中間転送チャネル１３に水平レジスタ間転送パルスｆIが印加されることにより、第１水平CCDレジスタ１１の情報電荷が第２水平CCDレジスタ１２へと転送される。
【００４４】
２．６  出力部５
出力部５は、水平転送部４から水平転送される情報電荷を蓄積し、電荷量に応じた電圧に変換して信号を出力する。出力される信号の電圧値が、画像信号となる。
出力部５は、例えば、FDA（Floating Diffusion Amplifier）である。２チャネル構成の水平CCDレジスタに対応して２つのFDAを備える。FDAそれぞれは、対応するチャネルから出力される情報電荷を蓄積し、所定のクロックパルスに基づいて動作して信号を出力する。
【００４５】
３  動作
次に、撮像装置１００の動作、具体的には、２チャネル構成の固体撮像素子において水平画素混合を行うための駆動方法を、図４〜図２１を用いて説明する。
図４〜図１５は、情報電荷の転送例を示す図である。図１６〜図２１は、各ゲートに印加されるクロックパルスのタイミングチャートである。
【００４６】
水平転送部４へと転送される情報電荷は、垂直転送部３において垂直３画素混合が行われるものとし、垂直画素混合がなされた１行分の情報電荷を、ここでは１ラインの情報電荷と言うこととする。以下、まず、１ライン目の情報電荷の水平画素混合について説明する。そして、１ライン目の次に垂直転送部３から水平転送部４へと垂直転送される次ラインの情報電荷の水平画素混合について説明する。
【００４７】
なお、垂直方向の３画素の電荷の混合方法は幾通りも可能であるため、詳細な説明は省略する。例えば、垂直CCDレジスタにおいて、ゲートV3に情報電荷を読み出す。この情報電荷をゲートV3からV1まで垂直転送して、その後、受光素子からゲートV1に情報電荷を読み出す。これにより垂直２画素混合が行われる。そして、この２画素混合された情報電荷をゲートV1からV5へ転送して、受光素子からV5に情報電荷を読み出す。このようにして垂直３画素混合を行うことができる。なお、垂直画素混合は必ずしも行う必要はない。垂直画素混合を行わない場合は、受光素子８において蓄積された１行分の情報電荷を１ラインの情報電荷と言うこととする。
【００４８】
なお、図４〜図１５においては、垂直転送部３の蓄積部７と、水平転送部４の第１水平CCDレジスタ１１、第２水平CCDレジスタ１２、中間転送チャネル１３とを図示している。なお、説明の簡略化のため、蓄積部７等は、その一部の構成を図示している。
図４〜図１５においては、蓄積部７の垂直CCDレジスタのうち、奇数列については垂直CCDレジスタＬ（Ｌ１、Ｌ２、・・）とし、偶数列については垂直CCDレジスタＲ（Ｒ１、Ｒ２、・・）としている。また、第１水平CCDレジスタ１１の水平転送電極のうち、H1、H3、H5は、奇数列の垂直CCDレジスタ（垂直CCDレジスタＬ）と対応しており、H2、H4、H6は、偶数列の垂直CCDレジスタ（垂直CCDレジスタＲ）と対応している。
【００４９】
また、図４〜図１５においては、図示するように、蓄積部７のゲートを、垂直水平転送部１０以外の部分について、V1およびV2を１組としてゲート２１、V3およびV4を１組としてゲート２２、V5およびV6を１組としてゲート２３とする。また、垂直水平転送部１０の部分について、V1SおよびV2を１組としてゲート２４、V3LおよびV4、またはV3RおよびV4を１組としてゲート２５、V5LおよびV6、またはV5RおよびV6を１組としてゲート２６としている。
【００５０】
また、図４〜図１５においては、垂直３画素混合がなされた情報電荷を、青色に対応する情報電荷については（3B）、緑色に対応する情報電荷については（3Gr）（3Gb）、赤色に対応する情報電荷については（3R）として示す。
そして、垂直および水平３画素混合がなされた情報電荷を、青色に対応する情報電荷については（9B）、緑色に対応する情報電荷については（9Gr）（9Gb）、赤色に対応する情報電荷については（9R）として示す。
【００５１】
３．１  １ラインの情報電荷の水平画素混合
まず、１ラインの情報電荷の水平３画素混合を説明する。
図４〜図９は、１ラインの情報電荷の転送および水平画素混合を示す。また、図１６〜図１８は、１ラインの情報電荷の転送および水平画素混合を行う際の、各クロックパルスのタイミングチャートを示す。なお、図１６〜図２１では、例えばゲートV1に印加するクロックパルスをｆV1とし、以下同様にV2に印加するクロックパルスをｆV2等とし、横軸は、クロックパルスがハイ（HI）かロー（LO）かと、時間との対応関係を示す。また、「fig4」等は、それぞれの時間における情報電荷の転送の過程を図面と対応づけて示している。例えば、図１６の「fig4」に示される時間における情報電荷の転送過程が、図４に示される状態と対応している。
【００５２】
３．１．１  奇数列の情報電荷の転送
図４では、垂直３画素混合が行われた１ラインの情報電荷が、蓄積部７のゲート２５等に蓄積されている。
この状態から、図１６の「fig4」から「fig5」に示されるように駆動制御部２が蓄積部７へのクロックパルスの印加を制御する。これにより、図４の状態において奇数列の垂直CCDレジスタ（垂直CCDレジスタＬ１、Ｌ２、Ｌ３、・・）に蓄積されているゲート２５の情報電荷が、それぞれ第１水平CCDレジスタ１１の水平転送電極（H1、H3、H5）に転送され、図５に示される状態となる。図４の例では、青色に対応する情報電荷が第１水平CCDレジスタ１１へ転送される。
【００５３】
図５では、１ラインの情報電荷のうち、奇数列の垂直CCDレジスタに蓄積されていた情報電荷が第１水平CCDレジスタ１１のH1、H3、H5へ転送されて蓄積されている。
この状態から、図１６の「fig5」から「fig6」に示されるように駆動制御部２が水平転送部４へのクロックパルスの印加を制御する。これにより、第１水平CCDレジスタ１１において、H5からH1へと順に情報電荷が水平転送され、水平３画素混合が行われる。その結果、図６に示される状態となる。
【００５４】
３．１．２  偶数列の情報電荷の転送
１ラインの情報電荷のうち、偶数列の垂直CCDレジスタに蓄積されている情報電荷についても同様に第１水平CCDレジスタ１１への転送および第１水平CCDレジスタ１１における水平３画素混合を行う。図１７に示すように駆動制御部２が蓄積部７および水平転送部４へとクロックパルスを印加する。これにより、図６の状態から、偶数列の垂直CCDレジスタに蓄積されていた情報電荷が、第１水平CCDレジスタ１１のH2、H4、H6へ転送されて図７の状態となる。そして、第１水平CCDレジスタ１１において、H6からH2へと順に情報電荷が水平転送されて図８の状態となる。この間、H1に印加される水平駆動パルスｆH1はハイのままであるため、H1の情報電荷はH6へと移動しない。また、H2の情報電荷がH1に転送されることもない。
【００５５】
３．１．３  水平CCDレジスタ間の転送
図８の状態から、図１８に示すように駆動制御部２が蓄積部７および水平転送部４へとクロックパルスを印加する。これにより、既に水平３画素混合が行われた情報電荷が、第１水平CCDレジスタ１１から第２水平CCDレジスタ１２へと転送され、図９に示す状態となる。
【００５６】
また、次に情報電荷の水平画素混合を行う対象である次ラインの情報電荷の垂直転送が行われて図１０に示す状態となる。図９から図１０にかけて、図９のゲート２２の情報電荷がゲート２５へと垂直転送される。このとき、垂直転送部３において、V3-V4に蓄積されている情報電荷もまた順にV5、V6、・・と順に垂直転送されてV3とV4のゲートに蓄積される（例えば、図１０のゲート２２を参照）。
【００５７】
３．２  次ラインの情報電荷の水平画素混合
次に、次ラインの情報電荷の、水平転送部４への転送を説明する。
第２水平CCDレジスタ１２には、既に水平画素混合が行われた情報電荷が蓄積されている。図１０の例では、第２水平CCDレジスタ１２のH6とH1の水平転送電極に、それぞれ垂直および水平３画素混合が行われた情報電荷（図１０の例では青色に対応する情報電荷と緑色に対応する情報電荷）が蓄積されている。次ラインの情報電荷を第１水平CCDレジスタ１１において水平画素混合する際には、第１水平CCDレジスタ１１のみならず第２水平CCDレジスタ１２も駆動されるので、第２水平CCDレジスタ１２において既に水平画素混合が行われている情報電荷同士が混合されないように第１水平CCDレジスタ１１および第２水平CCDレジスタ１２を駆動する必要がある。つまり、図１０で第２水平CCDレジスタ１２の水平転送電極H6に蓄積されている、青色に対応する情報電荷と、水平転送電極H1に蓄積されている、緑色に対応する情報電荷とが混合されないようにする必要がある。
【００５８】
３．２．１  一方の列の情報電荷の転送
次ラインの情報電荷の転送について、図１０の状態からの説明を続ける。
本実施形態では、次ラインの情報電荷について、まず奇数列の垂直CCDレジスタに蓄積されている情報電荷を蓄積部７から第１水平CCDレジスタ１１へ転送することとする。
図１０の状態から、図１９に示すように駆動制御部２が蓄積部７および水平転送部４へとクロックパルスを印加する。これにより、奇数列の垂直CCDレジスタに蓄積されていた情報電荷が第１水平CCDレジスタ１１のH1、H3、H5へ転送され、図１１の状態となる。そして、水平転送部４において、H5からH1へと順に情報電荷が転送されて図１２の状態となる。
【００５９】
図１１から図１２にかけて、第２水平CCDレジスタ１２において青色に対応する情報電荷が蓄積されているH6に挟まれた水平転送電極H1〜H5を用いて、第１水平CCDレジスタ１１において次ラインの情報電荷の水平画素混合を行っている。つまり、H6に蓄積されている情報電荷と、H1〜H5に蓄積されている情報電荷とが混合されることはない。したがって、第２水平CCDレジスタ１２において、青色に対応するH6の情報電荷と、緑色に対応するH1の情報電荷とが混合されることはない。
【００６０】
３．２．２  他方の列の情報電荷の転送
続いて、次ラインの情報電荷について、偶数列の垂直CCDレジスタに蓄積されている情報電荷を蓄積部７から第１水平CCDレジスタ１１へ転送する。
図１２の状態から、図２０に示すように駆動制御部２が蓄積部７および水平転送部４へとクロックパルスを印加する。これにより、偶数列の垂直CCDレジスタに蓄積されていた情報電荷が第２水平CCDレジスタ１２のH2、H4、H6に転送され、図１３の状態となる。そして、水平転送部４において、H6からH2へと順に情報電荷が転送されて図１４の状態となる。
【００６１】
図１３から図１４にかけて、第２水平CCDレジスタ１２において緑色に対応する情報電荷が蓄積されているH1に挟まれた水平転送電極H2〜H6を用いて、第１水平CCDレジスタ１１において次ラインの情報電荷の水平画素混合を行っている。ここで、第１水平CCDレジスタ１１において、既に水平画素混合を行っている列の情報電荷がH1に蓄積されている。したがって、H1に蓄積されている情報電荷と、H2〜H6に蓄積されている情報電荷とが混合されることはない。また、第２水平CCDレジスタ１２においても、H1には緑色に対応する情報電荷が蓄積されており、この情報電荷と、H6に蓄積されている情報電荷とが混合されることはない。
【００６２】
３．３  ｎ相駆動による情報電荷の水平転送
この後、図１４の状態から、図２１に示すように駆動制御部２が水平転送部４へとクロックパルスを印加することにより、図１５の状態となる。そして、H1とH4に同位相のクロックパルスｆH1'を印加し、H2とH5に同位相のクロックパルスｆH2'を印加し、H3とH6に同位相のクロックパルスｆH3'を印加することにより、水平転送部４を、３相駆動で動作させることができる。これにより、転送段数の削減を実現することができる。
【００６３】
なお、補足すると、２ラインの情報電荷を水平ｎ画素混合した後、各水平CCDレジスタにおいて蓄積されている情報電荷を、（ｎ−１）個の水平転送電極を挟んで等間隔に配置すると、ｎ相駆動により情報電荷を水平転送することができる。図１５の例で言うと、例えば第２水平CCDレジスタにおいて水平３画素混合がされている（9B）と（9Gb）とが、（ｎ−１）、すなわち２つの水平転送電極を挟んで等間隔に配置されている。
【００６４】
上述のように垂直転送部３および水平転送部４を駆動することで、２ラインの情報電荷を、２チャネル構成の水平転送部４において水平３画素混合を行うことができる。
４  補足
本発明について、補足説明を行う。
４．１  水平２画素混合を行う場合
上述の実施の形態では、水平３画素混合を行う場合について説明した。この他にも、２チャネル構成の水平転送部４を備える固体撮像素子において、２ライン分の情報電荷を、水平２画素混合を行って出力することもできる。なお、この場合、上述の「１．３  水平ｎ画素混合および２ｎ相駆動」で説明したように、ｎ＝２の場合にあたるので、第１水平CCDレジスタ１１および第２水平CCDレジスタ１２は、４相駆動により動作する。
【００６５】
具体的には、図２２〜図３９に示したとおりである。図２２〜図３３は、水平２画素混合の場合の場合の、情報電荷の転送例を示す。図３４〜図３９は、水平２画素混合を行う場合の、各ゲートに印加されるクロックパルスのタイミングチャートを示す。
なお、水平２画素混合を行った後は、図３３の状態となり、H1とH3に同位相のクロックパルスｆH1'を印加し、H2とH4に同位相のクロックパルスｆH2'を印加することにより、水平転送部４を、２相駆動により動作させることができる。
【００６６】
４．２  水平ｎ画素混合を行う場合の留意点
上述の説明では、水平３画素混合および水平２画素混合を行う場合について説明してきた。
ここで、上記の水平画素混合の方法を一般化して、２チャネル構成の水平転送部４において２ラインの情報電荷の水平ｎ画素混合を行うための留意点を説明する。
【００６７】
図４０は、水平ｎ画素混合を行うための駆動方法を示した図である。図４０では、水平ｎ画素混合が行われた情報電荷を、赤色に対応する情報電荷は（nR）、緑色に対応する情報電荷は（nGr）、（nGb）、青色に対応する情報電荷は（nB）としている。
また、２ラインの情報電荷の各ラインをどの水平CCDレジスタにより水平転送部４から出力部５へと水平転送するかを説明する。１ライン目の情報電荷は、水平ｎ画素混合されて第２水平CCDレジスタ１２により出力部５へ転送される。そして、２ライン目の情報電荷は、水平ｎ画素混合されて第１水平CCDレジスタ１１により出力部５へ転送されることとする。
【００６８】
図４０の例では、１ライン目の情報電荷が水平ｎ画素混合されて既に第２水平CCDレジスタ１２のH1とH3の水平転送電極に蓄積されている。また、２ライン目の情報電荷のうち、奇数列の垂直CCDレジスタにより垂直転送される情報電荷が水平ｎ画素混合されて第１水平CCDレジスタ１１のH1の水平転送電極に蓄積されている。
なお、図４０に示すように情報電荷を各水平転送電極に転送する方法は幾通りも考えられるため、図４０に示すように情報電荷を転送するための詳細な説明は省略する。
【００６９】
４．２．１  水平ｎ画素混合するための要件
２チャネル構成の水平転送部４において２ラインの情報電荷を水平ｎ画素混合するためには、以下の２つの要件を満たす必要がある。
４．２．１．１  第１の要件：１ライン目の情報電荷について
まず第１に、第２水平CCDレジスタ１２において、既に水平ｎ画素混合済みの１ライン目の情報電荷が、２ライン目の情報電荷の水平ｎ画素混合の時にさらに混合されないことが必要である。図４０の例で言うと、第２水平CCDレジスタ１２の（nGb）と（nB）とが混合されてはならない。
【００７０】
４．２．１．２  第２の要件：２ライン目の情報電荷について
そして、第２に、第１水平CCDレジスタ１１において２ライン目の情報電荷のうち垂直CCDレジスタの奇数列または偶数列のいずれかの列（第１の列）の情報電荷が第１水平CCDレジスタ１１に転送されて水平ｎ画素混合されている状態で、もう一方の、第１水平CCDレジスタ１１に未転送の列（第２の列）の情報電荷を転送して水平ｎ画素混合する際に、既に混合済みの列（第１の列）の情報電荷と混合されないことが必要である。図４０の例で言うと、２ライン目の情報電荷のうち、奇数列の情報電荷が第１水平CCDレジスタ１１に転送されて水平ｎ画素混合され、H1の水平転送電極に（nGr）が蓄積されている。このH1の情報電荷と、まだ第１水平CCDレジスタ１１に未転送の偶数列の情報電荷（R）とが混合されてはならない。
【００７１】
４．２．２  水平ｎ画素混合を行うための水平転送電極
上記の要件を踏まえた上で水平ｎ画素混合を行う場合の留意点を説明する。
まず、本発明ではベイヤー配列のカラーフィルタを用いていることを前提としているため、例えば赤色に対応する情報電荷は奇数列または偶数列のいずれかの列の垂直CCDレジスタにより転送される。したがって、水平方向において同色の色に対応する情報電荷を水平ｎ画素混合するには、（２ｎ−１）個の水平転送電極を用いることとなる。図４０の例では、赤色に対応する情報電荷は偶数列の垂直CCDレジスタにより第１水平CCDレジスタ１１の水平転送電極H2、H4、・・H(2n)に垂直転送されるので、水平ｎ画素混合は、例えばH2〜H(2n)の、（２ｎ−１）個の水平転送電極を用いる。
【００７２】
４．２．２．１  第１の要件について
ここで、第２水平CCDレジスタ１２を見ると、図４０に示すように、１ライン目の情報電荷を水平ｎ画素混合した電荷がH1とH3の水平転送電極に蓄積されている。H1には（nGb）が、H3には（nB）が蓄積されている。図４０の例で言うと、この（nGb）と（nB）とが混合されないようにするには、（nGb）が蓄積されているH1に挟まれたH2、H3、・・H(2n)の（２ｎ−１）個の水平転送電極か、もしくは、（nB）が蓄積されているH3に挟まれたH4、H5、・・H(2n)、H1、H2の（２ｎ−１）個の水平転送電極それぞれと同一の水平駆動パルスが印加される第１水平CCDレジスタ１１の水平転送電極を用いて、第１水平CCDレジスタ１１において、２ライン目の未転送の列（第２の列）の情報電荷を水平ｎ画素混合すればよい。これにより、上記第１の要件を満たすことができる。例えば、図示するように、第１水平CCDレジスタ１１のH2、H3、・・H(2n)の水平転送電極を用いて、２ライン目の未転送の列（第２の列）の情報電荷を水平ｎ画素混合すればよい。
【００７３】
４．２．２．２  第２の要件について
そして、上記のように２ライン目の未転送の列を水平ｎ画素混合する場合、２ライン目の情報電荷のうち、既に混合済みの列（第１の列）の情報電荷と、未転送の列（第２の列）とが混合されないようにするには、既に混合済みの列（第１の列）の情報電荷が、上述の水平ｎ画素混合を行うための（２ｎ−１）個の水平転送電極に蓄積されていなければよい。図４０の例で言うと、既に混合済みの列（第１の列）の情報電荷は、第１水平CCDレジスタ１１のH1またはH3、つまり第２水平CCDレジスタ１２において水平ｎ画素混合が行われた情報電荷が蓄積されている水平転送電極と同一の水平駆動パルスにより駆動する水平転送電極に蓄積されていればよい。図４０では既に混合済みの列、つまり奇数列の情報電荷（Gr）が水平ｎ画素混合されてH1に蓄積されているが、H3に蓄積されていてもよい。
【００７４】
このような状態から、２ライン目の未転送の列を第１水平CCDレジスタ１１に垂直転送して第１水平CCDレジスタ１１において水平ｎ画素混合を行えば、２ライン分の情報電荷を２チャネル構成の水平転送部４において水平ｎ画素混合することができる。図４０の例では、２ライン目の未転送の偶数列の情報電荷を第１水平CCDレジスタ１１へ転送し、H2、H3、・・H(2n)を用いて水平ｎ画素混合を行えばよい。
【００７５】
４．２．３  補足説明
上記要件に関連して補足説明する。
４．２．３．１  蓄積の対象となる水平転送電極
上述のように、２ライン目の情報電荷のうち、既に混合済みの列の情報電荷は、第２水平CCDレジスタ１２において１ライン目の、既に水平ｎ画素混合が行われている情報電荷が蓄積されている水平転送電極と同一の水平駆動パルスにより動作する第１水平CCDレジスタ１１の水平転送電極に蓄積する必要がある。そして、未転送の列の情報電荷が、垂直CCDレジスタから第１水平CCDレジスタ１１へと転送されるときに、既に混合済みの列の情報電荷と混合されてはならない。
【００７６】
ここで、例えば、図４０の例において、１ライン目の情報電荷が、水平ｎ画素混合されて第２水平CCDレジスタ１２のH2とH4に蓄積されていたとする。そうすると、２ライン目の情報電荷のうち先に水平ｎ画素混合が行われる列の情報電荷は、第１水平CCDレジスタ１１のH2またはH4に蓄積しなければならない。
しかし、こうすると、２ライン目の情報電荷のうち未転送の列を第１水平CCDレジスタ１１へと転送する際に、既に混合済みの情報電荷と混合されてしまい、上記第２の要件を満たさなくなる。
【００７７】
したがって、２ライン目の情報電荷のうち、先に水平ｎ画素混合が行われる列の情報電荷は、未転送の列の垂直CCDレジスタと対応していない水平転送電極（H2、H4、・・H(2n)以外の水平転送電極）に蓄積される必要がある。そうすると、１ライン目の水平ｎ画素混合した情報電荷、図４０の例で言うと第２水平CCDレジスタ１２に蓄積されている（nGb）と（nB）は、少なくともいずれか一方は、H2、H4、・・H(2n)以外の水平転送電極に蓄積する必要があると言える。
【００７８】
４．２．３．２  各ラインの情報電荷の転送方法
上述の説明では、水平ｎ画素混合した情報電荷について、１ライン目の情報電荷は第２水平CCDレジスタ１２により出力部５へ転送し、２ライン目の情報電荷は第１水平CCDレジスタ１１により出力部５へ転送するものとした。
これに限らず、水平ｎ画素混合した上で、１ライン目と２ライン目との情報電荷を、同一の水平CCDレジスタにより出力部５へ転送することとしても良い。例えば、図４０の例で言うと、第２水平CCDレジスタ１２のH3に蓄積されている１ライン目の（nB）を、第１水平CCDレジスタ１１のH1に蓄積されている２ライン目の（nGr）と入れ替えて、第２水平CCDレジスタ１２は緑色に対応する情報電荷のみを水平転送する、などとすることもできる。要するに、水平ｎ画素混合済みの情報電荷が、他の情報電荷と混合されなければよい。
【００７９】
４．３  各ラインの混合の順番
上述の説明では、まず１ライン目の奇数列および偶数列の情報電荷を混合してから、２ライン目の奇数列および偶数列の情報電荷を混合するものとして説明した。
これに限らず、１ライン目と２ライン目の情報電荷を、同時に水平画素混合することとしてもよい。
【００８０】
情報電荷の転送の変形例を示す図４１および図４２を用いて説明すると、例えば、図７に示す状態から、第１水平CCDレジスタ１１の情報電荷を中間転送チャネル１３を経由して第２水平CCDレジスタ１２へと転送し、図４１の状態とする。
図４１の状態から、情報電荷の垂直転送を行い、２ライン目の情報電荷のうち奇数列については第１水平CCDレジスタ１１に転送し、図４２の状態とする。
【００８１】
図４２の状態から、H1、H2、H3、H4、H5を用いて水平３画素混合を行うと、図１２の状態となる。
このように、水平３画素混合を行う場合に図１２の状態（一般化した場合は図４０の状態）になるように情報電荷を蓄積するための駆動方法は様々なものが考えられる。
４．４  水平画素混合を行わない場合
上記のように水平ｎ画素混合を行う場合の駆動方法について説明してきたが、ここで、水平画素混合を行わない場合について、情報電荷の転送方法の一例を説明する。
【００８２】
図４３〜図４５は、水平画素混合を行わない場合の、情報電荷の転送例を示す図である。なお、水平転送部４は実施の形態と同様に６相駆動としている。
図４３に示す状態から、垂直CCDレジスタの奇数列または偶数列のいずれか一方の情報電荷を、第１水平CCDレジスタ１１および中間転送チャネル１３を経由して第２水平CCDレジスタ１２に転送する。図４３では、垂直CCDレジスタの奇数列の情報電荷を転送している。転送後、図４４に示す状態となる。
【００８３】
図４４の状態から、垂直CCDレジスタの未転送の列（図４４では偶数列）の情報電荷を第１水平CCDレジスタ１１へ転送する。その結果、図４５に示す状態となる。
図４５の状態から、H1、H3、H5を水平駆動パルスｆH1'により駆動し、H2、H4、H6を水平駆動パルスｆH2'により駆動することで、水平転送部４を２相駆動により駆動させて情報電荷を水平転送することができる。
【００８４】
例えば、静止画撮影時など、高速で画像信号を出力する必要がない場合は水平画素混合を行わず上述のように２相駆動により情報電荷の水平転送を行い、動画撮影時など、高速で画像信号を出力する必要がない場合は、上述のように垂直水平３画素混合を行って図１５に示すように３相駆動により情報電荷の水平転送を行うとしてもよい。すなわち、水平画素混合を行うか否か値に応じて水平転送部４の駆動相数を異なるものとしてもよい。
【００８５】
４．５  その他の補足
その他、固体撮像素子の構成等について補足説明する。
４．５．１  固体撮像素子
上述の実施の形態の説明では、固体撮像素子はインターライン型のものとして説明したが、本発明は、２チャネル構成の水平転送部４において水平画素混合を行うことを特徴としているため、上記（１．２）（１．３）（１．４）の構成を備える固体撮像素子であればどのような構成であってもよい。例えば、フレームインターライントランスファ型（Frame Interline Transfer：FIT）であってもよいし、フレームトランスファ型（Frame Transfer：FT）などであってもよい。
【００８６】
４．５．２  垂直転送の方法
なお、説明の便宜のために図２においては垂直CCDレジスタにおけるゲートV1〜V6の組の数が１組であるとしているが、１組に限らず何組でもよい。
また、垂直CCDレジスタの情報電荷の垂直転送を、奇数列単位、偶数列単位で行う方法は、どのようなものであってもよい。この他に、例えば特許２９４０８０２号に記載の方法としてもよい。
【００８７】
４．５．３  カラーフィルタ
上記の説明では、ベイヤー配列のカラーフィルタを用いるものとしたが、本発明は、特にベイヤー配列のカラーフィルタを備える撮像装置１００でなくとも適用できる。例えばモノクロの撮像画像を得る場合にも、上述の方法で水平画素混合を行ってもよい。
４．５．４  撮像装置
（１）上記の撮像装置は、具体的には、マイクロプロセッサ、ＲＯＭ、ＲＡＭ、フラッシュメモリ、ディスプレイユニットなどから構成されるコンピュータシステムである。前記ＲＡＭ又は前記フラッシュメモリには、コンピュータプログラムが記憶されている。前記マイクロプロセッサが、前記コンピュータプログラムに従って動作することにより、撮像装置は、その機能を達成する。ここで、コンピュータプログラムは、所定の機能を達成するために、コンピュータに対する指令を示す命令コードが複数個組み合わされて構成されたものである。
（２）上記の撮像装置を構成する構成要素の一部又は全部は、１個のシステムＬＳＩ（Large Scale Integration：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。前記ＲＡＭには、コンピュータプログラムが記憶されている。前記マイクロプロセッサが、前記コンピュータプログラムに従って動作することにより、システムＬＳＩは、その機能を達成する。
【産業上の利用可能性】
【００８８】
本発明は、デジタルスチルカメラ、カムコーダ等の、固体撮像素子を備える撮像装置において用いることができる。
【図面の簡単な説明】
【００８９】
【図１】撮像装置１００の構成を示す機能ブロック図。
【図２】垂直転送部３と水平転送部４の詳細を示す図。
【図３】受光素子それぞれに対応づけられて配置されるカラーフィルタを示す図。
【図４】１ラインの情報電荷の転送および水平画素混合を示す図。
【図５】１ラインの情報電荷の転送および水平画素混合を示す図。
【図６】１ラインの情報電荷の転送および水平画素混合を示す図。
【図７】１ラインの情報電荷の転送および水平画素混合を示す図。
【図８】１ラインの情報電荷の転送および水平画素混合を示す図。
【図９】１ラインの情報電荷の転送および水平画素混合を示す図。
【図１０】次ラインの情報電荷の転送および水平画素混合を示す図。
【図１１】次ラインの情報電荷の転送および水平画素混合を示す図。
【図１２】次ラインの情報電荷の転送および水平画素混合を示す図。
【図１３】次ラインの情報電荷の転送および水平画素混合を示す図。
【図１４】次ラインの情報電荷の転送および水平画素混合を示す図。
【図１５】次ラインの情報電荷の転送および水平画素混合を示す図。
【図１６】各ゲートに印加されるクロックパルスのタイミングチャート。
【図１７】各ゲートに印加されるクロックパルスのタイミングチャート。
【図１８】各ゲートに印加されるクロックパルスのタイミングチャート。
【図１９】各ゲートに印加されるクロックパルスのタイミングチャート。
【図２０】各ゲートに印加されるクロックパルスのタイミングチャート。
【図２１】各ゲートに印加されるクロックパルスのタイミングチャート。
【図２２】水平２画素混合の場合の、情報電荷の転送例を示す図。
【図２３】水平２画素混合の場合の、情報電荷の転送例を示す図。
【図２４】水平２画素混合の場合の、情報電荷の転送例を示す図。
【図２５】水平２画素混合の場合の、情報電荷の転送例を示す図。
【図２６】水平２画素混合の場合の、情報電荷の転送例を示す図。
【図２７】水平２画素混合の場合の、情報電荷の転送例を示す図。
【図２８】水平２画素混合の場合の、情報電荷の転送例を示す図。
【図２９】水平２画素混合の場合の、情報電荷の転送例を示す図。
【図３０】水平２画素混合の場合の、情報電荷の転送例を示す図。
【図３１】水平２画素混合の場合の、情報電荷の転送例を示す図。
【図３２】水平２画素混合の場合の、情報電荷の転送例を示す図。
【図３３】水平２画素混合の場合の、情報電荷の転送例を示す図。
【図３４】水平２画素混合の場合の、クロックパルスのタイミングチャート。
【図３５】水平２画素混合の場合の、クロックパルスのタイミングチャート。
【図３６】水平２画素混合の場合の、クロックパルスのタイミングチャート。
【図３７】水平２画素混合の場合の、クロックパルスのタイミングチャート。
【図３８】水平２画素混合の場合の、クロックパルスのタイミングチャート。
【図３９】水平２画素混合の場合の、クロックパルスのタイミングチャート。
【図４０】水平ｎ画素混合を行うための駆動方法を示した図。
【図４１】情報電荷の転送の変形例を示す図。
【図４２】情報電荷の転送の変形例を示す図。
【図４３】水平画素混合を行わない場合の、情報電荷の転送例を示す図。
【図４４】水平画素混合を行わない場合の、情報電荷の転送例を示す図。
【図４５】水平画素混合を行わない場合の、情報電荷の転送例を示す図。
【符号の説明】
【００９０】
１００  撮像装置
１      撮像部
２      駆動制御部
３      垂直転送部
４      水平転送部
５      出力部
６      受光部
７      蓄積部
８      受光素子
９      垂直CCDレジスタ
１０    垂直水平転送部
１１    第１水平CCDレジスタ
１２    第２水平CCDレジスタ
１３    中間転送チャネル
【図１】
2009044385.tif 000003
【図２】
2009044385.tif 000004
【図３】
2009044385.tif 000005
【図４】
2009044385.tif 000006
【図５】
2009044385.tif 000007
【図６】
2009044385.tif 000008
【図７】
2009044385.tif 000009
【図８】
2009044385.tif 000010
【図９】
2009044385.tif 000011
【図１０】
2009044385.tif 000012
【図１１】
2009044385.tif 000013
【図１２】
2009044385.tif 000014
【図１３】
2009044385.tif 000015
【図１４】
2009044385.tif 000016
【図１５】
2009044385.tif 000017
【図１６】
2009044385.tif 000018
【図１７】
2009044385.tif 000019
【図１８】
2009044385.tif 000020
【図１９】
2009044385.tif 000021
【図２０】
2009044385.tif 000022
【図２１】
2009044385.tif 000023
【図２２】
2009044385.tif 000024
【図２３】
2009044385.tif 000025
【図２４】
2009044385.tif 000026
【図２５】
2009044385.tif 000027
【図２６】
2009044385.tif 000028
【図２７】
2009044385.tif 000029
【図２８】
2009044385.tif 000030
【図２９】
2009044385.tif 000031
【図３０】
2009044385.tif 000032
【図３１】
2009044385.tif 000033
【図３２】
2009044385.tif 000034
【図３３】
2009044385.tif 000035
【図３４】
2009044385.tif 000036
【図３５】
2009044385.tif 000037
【図３６】
2009044385.tif 000038
【図３７】
2009044385.tif 000039
【図３８】
2009044385.tif 000040
【図３９】
2009044385.tif 000041
【図４０】
2009044385.tif 000042
【図４１】
2009044385.tif 000043
【図４２】
2009044385.tif 000044
【図４３】
2009044385.tif 000045
【図４４】
2009044385.tif 000046
【図４５】
2009044385.tif 000047